(57)【要約】【課題】  携帯電話等による強固な電磁雑音下での誤動作を防止する血糖測定装置の提供。【解決手段】  本発明の血糖測定装置は、医療情報データを管理する医療情報管理サーバと通信が可能な血糖測定装置であって、センサ部と、センサ部により検出した電気信号を増幅する増幅部と、電磁雑音検出部と、増幅されたアナログ信号をディジタル信号に変換し血液中の血糖値を演算する演算部を備え、電磁雑音検出部において、電磁雑音の瞬時レベル及び／または平均レベルが所定以上と判断した時は、血糖値の記憶部への書込みを停止することを特徴とするものである。【選択図】  図２  2005204940.tif 0000032005204940.tif 000004
2005204940.tif 000002
【特許請求の範囲】
【請求項１】
医療情報データを管理する医療情報管理サーバと通信が可能な血糖測定装置であって、
センサ部と、該センサ部により検出した電気信号を増幅する増幅部と、電磁雑音検出部と、前記増幅されたアナログ信号をディジタル信号に変換し血液中の血糖値を演算する演算部を備え、
該電磁雑音検出部において、電磁雑音の瞬時レベル及び／または平均レベルが所定以上と判断した時は、該血糖値の記憶部への書込みを停止することを特徴とする血糖測定装置。
【請求項２】
医療情報データを管理する医療情報管理サーバと通信が可能な血糖測定装置であって、
センサ部と、該センサ部により検出した電気信号を増幅する増幅部と、電磁雑音検出部と、前記増幅されたアナログ信号をディジタル信号に変換し血液中の血糖値を演算する演算部を備え、
該電磁雑音検出部において、電磁雑音の瞬時レベル及び／または平均レベルが所定以上と判断した時は、血糖測定装置と外部との送信及び／または受信を停止することを特徴とする血糖測定装置。
【請求項３】
該血糖測定装置が外部との送信及び／または受信を停止した時に、再送信及び／または再受信を要求する信号を出力することを特徴とする請求項２記載の血糖測定装置。
【請求項４】
該電磁雑音検出部において、電磁雑音の瞬時レベル及び／または平均レベルが所定以上と判断した時に、該記憶部への書込みまたは外部との通信を行っていた場合に、表示及び／または音により異常があった旨の警告を行うことを特徴とする請求項１ないし３のいずれかに記載の血糖測定装置。
【発明の詳細な説明】
【技術分野】
【０００１】
本発明は、血液中のグルコース濃度を測定する血糖測定装置に関するものである。
【背景技術】
【０００２】
従来、被検者の指先、腕、等から得た微量の血液を、酵素及び色素を主とする試薬を塗布した試験紙に展開させ、その呈色反応による色濃度変化を検出して、その被検者の血糖値を測定（比色式)したり、血液を酵素が固定された電極に接触させて被検者の血液の血糖値を測定(電極式)したり、異なる波長の光により透過度，吸光度により血糖値を測定(光学式)したりする血糖値測定装置が知られている。このような血糖値測定装置で測定された血糖値を被検者の識別(ＩＤ)データとともに管理するシステムが提案されている。このシステムにおいては、被検者個々の血糖測定装置からインターネット等の情報通信手段により病院等の医療機関へ血糖測定値を送信している(特許文献１：特開２００２−１４９８３０号公報)。
【特許文献１】特開２００２−１４９８３０号公報
【０００３】
ところで、このような血糖測定装置においては、電磁雑音の影響を低減するため、電気回路の一部にローパスフィルタを設けたり、電子回路基板の一部または全体を金属箔で被覆し電磁シールドを行っている。しかしながら、携帯電話等による電磁雑音に対して影響が出ることが知られ、より強固な耐電磁雑音環境下では血糖測定装置が誤作動する可能性が大きいという問題があった。
【発明の開示】
【発明が解決しようとする課題】
【０００４】
本発明は、このような上記問題点に鑑みてなされたもので、携帯電話等による強固な電磁雑音下での誤動作を防止する血糖測定装置を提供することを目的とする。
【課題を解決するための手段】
【０００５】
上記目的を達成するために、本発明の血糖測定装置は、医療情報データを管理する医療情報管理サーバと通信が可能な血糖測定装置であって、センサ部と、センサ部により検出した電気信号を増幅する増幅部と、電磁雑音検出部と、増幅されたアナログ信号をディジタル信号に変換し血液中の血糖値を演算する演算部を備え、電磁雑音検出部において、電磁雑音の瞬時レベル及び／または平均レベルが所定以上と判断した時は、血糖値の記憶部への書込みを停止することを特徴とするものである。また、医療情報データを管理する医療情報管理サーバと通信が可能な血糖測定装置であって、センサ部と、センサ部により検出した電気信号を増幅する増幅部と、電磁雑音検出部と、増幅されたアナログ信号をディジタル信号に変換し血液中の血糖値を演算する演算部を備え、電磁雑音検出部において、電磁雑音の瞬時レベル及び／または平均レベルが所定以上と判断した時は、と判断した時は、血糖測定装置と外部との送信及び／または受信を停止することを特徴とするものである。さらに、血糖測定装置が外部との送信及び／または送受信を停止した時に、再送信及び／または再受信を要求する信号を出力することを加えてもよく、また、電磁雑音検出部において、電磁雑音の瞬時レベル及び／または平均レベルが所定以上と判断した時に、記憶部への書込みまたは外部との通信をおこなっていた場合に、表示及び／または音により異常があった旨の警告を行うことを加えてもよい。
【発明の効果】
【０００６】
本発明の血糖測定装置によれば、携帯電話等による強固な電磁雑音下での、血糖値の記憶，送信等の誤動作を防止する血糖測定装置が得られる。
【発明を実施するための最良の形態】
【０００７】
以下、添付図面を参照して本発明の好適な実施の形態を詳細に説明する。図１は、本発明の実施の形態に係る血糖測定装置１の外観斜視図(ａ)，平面図（ｂ）である。本実施例に係る血糖測定装置１は、例えば、被検者の指を穿刺して微量の血液(体液)を採取し、血糖値(グルコース濃度)を測定するための測定装置である。
【０００８】
１２は、測定した結果である血糖値や、操作者へのメッセージなどを表示する表示部(表示手段)である。２１は、電源ＯＮ／ＯＦＦスイッチ、２２は、測定、記憶された血糖値を呼び出すためのスイッチ、２３は、食事内容，インスリン注入情報等のメモ内容を入力する入力部、１７０は、センサ部等を有する血糖値測定部である。血液（体液）の採取には専用の穿刺具（不図示）が用いられ、例えば指先、上腕、腹部、大腿部、耳たぶのような生体表面に穿刺され、また、穿刺針は通常検査毎に交換される。
【０００９】
図２は、本実施例に係る１つの血糖測定装置１の構成を示す概略ブロック図で、前述の図面と共通する部分は同じ番号で示し、その説明を省略する。
【００１０】
図２において、１０は制御部で、例えばマイクロコンピュータ等のＣＰＵ、ＣＰＵにより実行される、装置全体の動作を制御する制御プログラムや各種データを記憶しているＲＯＭ、ＣＰＵによる制御時にワークエリアとして使用され、測定データや各種データを一時的に保存するＲＡＭ等を備えている。
【００１１】
表示部１２は、制御部１００からの信号に基づいて体液検査結果、或いはオペレータへのメッセージなどを表示するためのものであり、液晶ディスプレイが好適に使用される。外部通信部(外部出力部)１４は、記憶部(メモリ)１３に記憶された血糖値(グルコース)測定結果をパーソナル・コンピュータ（ＰＣ）のような外部装置またはインターネット等の情報通信ネットワークを介して血糖値などを一元管理する病院，健康管理支援等のサーバ等へ出力するためのものである。この場合、外部出力部１４は、例えばＲＳ２３２Ｃのような通信回路を内蔵している。また赤外線通信を行う場合には、外部出力部１４は、赤外線発光素子、及びその駆動回路を備えている。
【００１２】
記憶部(メモリ)１３は、検出結果（血糖値等のデータ）を測定時間とともに記憶するためのものである。１７は、血液(体液)が吸着し、呈色反応した試験紙をセンシングするためのセンサ部、１８は、センサ部１７から出力される受光光量に応じたアナログ信号を増幅するアンプ(増幅部)、１９は、増幅されたアナログ信号をディジタル信号に変換するＡ／Ｄ変換器である。１１は、電磁雑音検出部、２０は、電源部であり通常は乾電池である。
【００１３】
次に電磁雑音検出部１１を備えた本発明の血糖測定装置１の制御部１０による制御動作を説明する。前述したように、本実施の血糖測定装置は、例えば被検者の指から採取した血液を試験紙内の試薬層と反応させ、その反応に基づく試薬層の呈色の度合を基に、その血液中に含まれる血糖濃度を測定するものである。よって、ここでは発光素子からの光を試験紙に照射し、その反射光強度を受光素子により検出することにより、その呈色の度合を検出している。
【００１４】
以下に、本発明の血糖測定装置における処理を説明する。この処理は、制御部１０のＣＰＵにより実行される。
【００１５】
この処理は、例えば測定開始スイッチ（不図示）が押下されるか、或いはチップ穿刺部が血糖値測定部１７に装着され、穿刺開始スイッチ（不図示）により、被検者の指が穿刺されて血液が採取されて試験紙の呈色が開始されること等により測定開始になると開始される。その後、所定時間(秒)、例えば、５秒経過したか否か判断される(ステップ１)。
【００１６】
所定時間が経過すると、発光素子を、例えば１秒間に２０回の割り合いでパルス駆動しながら、各パルス駆動のタイミングに同期して受光素子により検出される反射光強度を入力し、それらを記憶部１３に記憶する。記憶部１３に記憶される時(直前)、電磁雑音検出部１１により検出された電磁雑音検出レベルが所定値(閾値)以下か否かが制御部１０により判断される(ステップ２)。電磁雑音検出レベルが所定値(閾値)以下の場合、記憶部１３に記憶される(ステップ３)。電磁雑音検出レベルが所定値(閾値)を越えている場合、所定時間(秒)例えば、２〜３秒待機した後、記憶部１３に記憶される(ステップ４)(図３参照)。またこの時、異常があった旨の警告を表示部に表示することもできる。
【００１７】
次に、その記憶部１３に記憶した毎秒２０個の反射光強度データの内、最後から１６個のデータを読み出し、それらの平均値を求める(ステップ５)。その求めた反射光強度の平均値を用いて、演算式により血糖値を求める(ステップ６)。こうして求めた血糖値を記憶部１３に、その測定日時とともに記憶する。記憶部１３に記憶される時(直前)、電磁雑音検出部１１により検出された電磁雑音検出レベルが所定値(閾値)以下か否かが制御部１０により判断される(ステップ７)。電磁雑音検出レベルが所定値(閾値)以下の場合、記憶部１３に記憶される(ステップ８)。電磁雑音検出レベルが所定値(閾値)を越えている場合、所定時間(秒)例えば、２〜３秒待機した後、記憶部１３に測定日時とともに記憶される(ステップ９)。また、その測定結果を表示部１２に測定日時とともに表示する(図３参照)。
【００１８】
なお、本測定装置１は、記憶された血糖値等の外部への送信時にも、電磁雑音検出部１１により検出された電磁雑音検出レベルが所定値(閾値)以下か否かが制御部１０により判断される(ステップ１０)。電磁雑音検出レベルが所定値(閾値)以下の場合、外部通信部１４から、インターネット等の情報通信ネットワークを介して血糖値などを一元管理する病院，健康管理支援等のサーバ等へ出力(送信)される(ステップ１１)(図３参照)。電磁雑音検出レベルが所定値(閾値)を越えている場合、所定時間(秒)例えば、２〜３秒待機した後、外部通信部１４から、インターネット等の情報通信ネットワークを介して血糖値などを一元管理する病院，健康管理支援等のサーバ等へ出力(送信)される(ステップ１２)。表示部１２で送信が完了した旨表示される(ステップ１３)(図３参照)。
【００１９】
上述の血糖測定装置は、呈色式の低侵襲型測定装置について説明したがこれに限られるものでなく他の低侵襲型測定装置、無侵襲型測定装置についても適用できることは言うまでもない。
【図面の簡単な説明】
【００２０】
【図１】本発明の血糖測定装置の外観図である。
【図２】本発明の血糖測定装置の概略ブロック図である。
【図３】本発明の血糖測定装置の記憶、外部通信時のタイミングチャートである。
【符号の説明】
【００２１】
１  血糖測定装置、１１  電磁雑音検出部、１２  表示部、１３  記憶部、１４  外部通信部、１７  センサ部、２０  電源部、１７０  血糖測定部
【図１】
2005204940.tif 000005
【図２】
2005204940.tif 000006
【図３】
2005204940.tif 000007